(57)【要約】【課題】  完成されたラミネートカードに余分な縁がなく、外観上の体裁が良く、カードの厚みが均一とすることができるラミネート加工されたカードを作成できるラミネートカード作製用合成樹脂シートを提供する。【解決手段】  中央部分から２つ折りする透明な合成樹脂シートの間にカード基材を挟み込み、上下方向から熱圧を加えて融着一体化してラミネートカードを作製することができる合成樹脂シートであって、前記合成樹脂シートが、長方形状を有し、該長方形状の長手方向に対して中央部分に前記合成樹脂シートを２つ折りするための折り目線を有し、前記２つ折りした合成樹脂シートの外周端辺に、前記カード基材の３周辺を合わせて挟み込んだ際に、前記カード基材と重ならない合成樹脂シートの部分を切り取るための切り取りミシン目が形成されている。【選択図】        図１
2007320561.tif 000002
【特許請求の範囲】
【請求項１】
中央部分から２つ折りする透明な合成樹脂シートの間にカード基材を挟み込み、上下方向から熱圧を加えて融着一体化してラミネートカードを作製することができる合成樹脂シートであって、
前記合成樹脂シートが、長方形状を有し、該長方形状の長手方向に対して中央部分に前記合成樹脂シートを２つ折りするための折り目線を有し、前記２つ折りした合成樹脂シートの外周端辺に、前記カード基材の３周辺を合わせて挟み込んだ際に、前記カード基材と重ならない合成樹脂シートの部分を切り取るための切り取りミシン目が形成されていることを特徴するラミネートカード作製用合成樹脂シート。
【請求項２】
前記切り取りミシン目が、前記折り目線を中心に左右方向に対して同一位置にそれぞれ形成されていることを特徴する請求項１記載のラミネートカード作製用合成樹脂シート。
【請求項３】
前記合成樹脂シートが、融点の低いフィルムとこれより融点の高いフィルムとが積層された構成を有し、前記融点の低いフィルムが、前記２つ折りされる際に内側に設けられていることを特徴とする請求項１記載のラミネートカード作製用合成樹脂シート。
【請求項４】
前記カード基材と重ならない合成樹脂シートの部分が、重なり合う合成樹脂シート同士で融着されていることを特徴とする請求項１記載のラミネートカード作製用合成樹脂シート。
【発明の詳細な説明】
【技術分野】
【０００１】
本発明は、２つ折りする合成樹脂シートの間にカード基材を挟み込み、上下方向から熱圧を加えて融着一体化してラミネートカードを作製することができるラミネートカード作製用合成樹脂シートに関する。
【背景技術】
【０００２】
従来、社員証や学生証などの身分証明書、定期券、運転免許証などのカード類の表面を保護するためのカード包装体として、所謂、ラミネートカードが知られている。
これらのラミネートカードは、２つ折りする合成樹脂シートの間にカード基材を挟み込み、上下方向から熱圧を加えて融着一体化して作製するもので、様々な仕様のカードが既に知られている。（例えば、特許文献１及び５参照）
【０００３】
【特許文献１】特開昭６０−１７１８３９号公報
【特許文献２】特開昭６０−１８３５５号公報
【特許文献３】特開昭６１−６２０６７号公報
【特許文献４】特開平３−４７９０１号公報
【特許文献５】特開２００１−３０１８２１号公報
【０００４】
これらのラミネートカードを作製する際に使用される合成樹脂シートは、融点の低いフィルムとこれより融点の高いフィルムとが積層された構成を有し、前記融点の低いフィルムが、前記２つ折りされる際に内側に設けられており、２つ折りされた合成樹脂シートの外側から、融点の低いフィルムが融着し、また融点の高いフィルムが融着しない温度により加熱することで、融点の低いフィルムの間に挟み込まれているカード基材の表裏面に融着することで、ラミネート加工されたカードを作製できるように構成されている。
【０００５】
したがって、従来のラミネート加工されたカードでは、少なくとも２つ折りされた合成樹脂シートの折り部分付近で、挟み込まれたカード基材と重ならない部分ができることになり、カードが完成された場合に、カードの一辺側に余分な縁が付いた状態のカードが作製されることになり、体裁が悪く、カードの厚みが均一ならないことで、カードリーダライタなどを利用する際にカード搬送や読み取り時における不具合の原因となる危険性があるという問題がある。
【発明の開示】
【発明が解決しようとする課題】
【０００６】
そこで、本発明は、中央部分から２つ折りする透明な合成樹脂シートの間にカード基材を挟み込み、上下方向から熱圧を加えて融着一体化したラミネートカードを作製することができる合成樹脂シートを使用して、カードを作製した場合でも、完成されたカードに余分な縁がなく、外観上の体裁が良く、カードの厚みが均一となるようにすることができ、カードリーダライタなどを利用する際に、通常のプラスチックカードと同様に搬送し、読み取りが行えるようにしたラミネート加工されたカードを作製できるラミネートカード作製用合成樹脂シートを提供する。
【課題を解決するための手段】
【０００７】
本発明のラミネートカード作製用合成樹脂シートは、中央部分から２つ折りする透明な合成樹脂シートの間にカード基材を挟み込み、上下方向から熱圧を加えて融着一体化してラミネートカードを作製することができる合成樹脂シートであって、前記合成樹脂シートが、長方形状を有し、該長方形状の長手方向に対して中央部分に前記合成樹脂シートを２つ折りするための折り目線を有し、前記２つ折りした合成樹脂シートの外周端辺に、前記カード基材の３周辺を合わせて挟み込んだ際に、前記カード基材と重ならない合成樹脂シートの部分を切り取るための切り取りミシン目が形成されていることを特徴する。
【０００８】
また、本発明のラミネートカード作製用合成樹脂シートは、前記切り取りミシン目が、前記折り目線を中心に左右方向に対して同一位置にそれぞれ形成されていることを特徴する。
【０００９】
更に、本発明のラミネートカード作製用合成樹脂シートは、前記合成樹脂シートが、融点の低いフィルムとこれより融点の高いフィルムとが積層された構成を有し、前記融点の低いフィルムが、前記２つ折りされる際に内側に設けられていることを特徴とする。
【００１０】
また、本発明のラミネートカード作製用合成樹脂シートは、前記カード基材と重ならない合成樹脂シートの部分が、重なり合う合成樹脂シート同士で融着されていることを特徴とする。
【発明の効果】
【００１１】
したがって、本発明のラミネートカード作製用合成樹脂シートは、カード基材と重ならない合成樹脂シートの部分を切り取るための切り取りミシン目が形成されているので、ラメネートカードを作製した場合でも、完成されたカードに余分な縁をなくすことができ、外観上の体裁が良く、カードの厚みが均一となるようにすることができ、カードリーダライタなどを利用する際に、通常のプラスチックカードと同様に搬送し、読み取りが行えるという効果がある。
【００１２】
また、本発明のラミネートカード作製用合成樹脂シートは、切り取りミシン目が、折り目線を中心に左右方向に対して同一位置にそれぞれ形成されているので、２つ折りされた合成樹脂シートを簡単に切り取ることができるという効果がある。
【００１３】
更に、本発明のラミネートカード作製用合成樹脂シートは、合成樹脂シートが、融点の低いフィルムとこれより融点の高いフィルムとが積層された構成を有し、前記融点の低いフィルムが、前記２つ折りされる際に内側に設けられているので、熱圧を加えることで簡単にラミネートカードを作製することができるという効果がある。
【００１４】
また、本発明のラミネートカード作製用合成樹脂シートは、カード基材と重ならない合成樹脂シートの部分が、重なり合う合成樹脂シート同士で融着されている構造とすることで、２つ折りされた合成樹脂シートにカード基材を挟み込む際に、誰でも正確且つ簡単にカード基材を重ね合わせることができるという効果がある。
【発明を実施するための最良の形態】
【００１５】
以下、本発明の実施形態に係るラミネートカード作製用合成樹脂シートについて、図面に基づいて詳細に説明する。
図１は、本発明の実施形態に係るラミネートカード作製用合成樹脂シートの平面図、図２は、図１のＡ−Ａ線断面図、図３は、本発明の実施形態に係るラミネートカード作製用合成樹脂シートを折り目線から折り畳み、挟み込むカード基材と重ならない合成樹脂シートの部分同士を融着させた状態を示す斜視図、図４は、本発明の実施形態に係るラミネートカード作製用合成樹脂シートを利用してラミネートカードを作製する手順を説明するための図である。
【００１６】
まず、本発明の実施形態に係るラミネートカード作製用合成樹脂シートの構成を、図１及び図２に基づいて説明する。
ラミネートカード作製用合成樹脂シート１（以下、合成樹脂シート１ともいう。）は、融点の低いフィルム２ａとこれより融点の高いフィルム２ｂとが積層された構成を有し、融点の低いフィルム２ａが、合成樹脂シート１を２つ折りしてラミネートカードの作製をする場合の内側位置に設けられている。
【００１７】
これにより、２つ折りされた合成樹脂シート１の外側から、加熱することで、融点の低いフィルム２ａの間に挟み込まれているカード基材の表裏面に融着することで、ラミネート加工されたカードを作製できるように構成されている。
尚、加熱する際には、融点の低いフィルム２ａが融着し、また融点の高いフィルムが融着しない温度により加熱する。
【００１８】
また、合成樹脂シート１は、長方形状を有しており、その長方形状の長手方向に対してその中央部分に、その樹脂シートを２つ折りするための折り目線３を有している。
この折り目線３は、樹脂シート１を等分に２つ折りする際の目安となる線であり、２つ折りを行いやすいように、折り目線３の部分にハーフカットなどを形成させておいてもよい。
【００１９】
また、合成樹脂シート１の中央部分の折り目線３を中心にして、左右方向に対して同一位置に、それぞれ切り取りミシン目４ａ，４ｂが形成されている。
この各々の切り取りミシン目４ａ，４ｂは、合成樹脂シート１を２つ折りする合成樹脂シート１の間に、カード基材を挟み込んでラミネートカードを作製する際に、２つ折りした合成樹脂シート１の外周端辺に、カード基材の外周の３周辺を合わせて挟み込み、そのカード基材と重ならない部分の合成樹脂シート１を切り取ることができる位置に形成されている。
つまり、完成されたラミネートカードには、合成樹脂シート１による縁部分が残らない状態に作製することができるようにしてある。
【００２０】
また、図３には、本発明の合成樹脂シート１を、カード基材を挟み込みやすい構成にしておくために、合成樹脂シート１を折り目線３から２つに折り畳み、折り畳まれた合成樹脂シート１の間に対して挟み込むカード基材と重ならない合成樹脂シートの部分同士を予め融着させた状態にしておくこともできる。
図３に示すような、合成樹脂シート１を２つ折りさせた状態として用意しておくことで、ラミネートカードを作製する際でも、挟み込むカード基材の位置が特定され、正確な位置合わせを行うことができるので好ましい。
【００２１】
次に、図４に基づいて、本発明の実施形態に係るラミネートカード作製用合成樹脂シート１から、ラミネートカードを作製する手順について説明する。
図４（ａ）には、合成樹脂シート１に挟み込むためのカード基材５が示されている。
また、図４（ｂ）には、合成樹脂シート１を折り目線３から２つに折り畳み、折り畳まれた合成樹脂シート１の間に対して挟み込むカード基材５と重ならない合成樹脂シートの部分同士を予め融着させた状態にした構成からなる２つ折りされた合成樹脂シート１が示されている。
尚、図４では、２つ折りされた合成樹脂シート１が、縦方向に置かれている状態で示されている。
【００２２】
そして、図４（ｃ）に示すよに、２つ折りされた合成樹脂シート１の間に、カード基材５を挟み込む。
挟み込んだカード基材５は、カード基材５の一辺側が、２つ折りされた合成樹脂シート１の切り取りミシン目４ａ，４ｂが重なって融着されている部分まで突き当たる状態で挿入させてセットする。
【００２３】
次に、図４（ｄ）に示すように、挟み込んだカード基材５の両側から合成樹脂シート１を重ね合わせ、更に、２つ折りされた合成樹脂シート１の外側から、加熱することで、融点の低いフィルム２ａの間に挟み込まれているカード基材５の表裏面に融着させる。
その後、図４（ｅ）に示すように、切り取りミシン目４ａ，４ｂから合成樹脂シート１を切り取り、カード基材５に重合されていないカード基材５の一部分を切り取ることで、カード基材５を有するラミネートカード１ａと、カード基材５が重合されていないで、合成樹脂シート同士が重ねられ融着状態にある合成樹脂シートの１部分１ｂとが切り離される。
以上の手順により、図４（ｄ）に示すように、余分な縁が付いていない状態のカード基材５を有するラミネートカード１ａが完成される。
【００２４】
切り取りミシン目４ａ，４ｂが形成される位置は、カード基材５の大きさに対応して設定され、２つ折りされた合成樹脂シート１の３周辺と、カード基材５の３周辺とを一致させた状態で、２つ折りされた合成樹脂シート１の間にカード基材５を挟み込んだ際に、カード基材５の残りの１辺側においてカード基材５と重ならない合成樹脂シート１の部分を指で摘んで、切り取りミシン目４ａ，４ｂから簡単に切り取れるように合成樹脂シート１の大きさや、切り取りミシン目４ａ，４ｂの形成位置を決めることが好ましい。
【図面の簡単な説明】
【００２５】
【図１】本発明の実施形態に係るラミネートカード作製用合成樹脂シートの平面図である。
【図２】図１のＡ−Ａ線断面図である。
【図３】本発明の実施形態に係るラミネートカード作製用合成樹脂シートを折り目線から折り畳み、挟み込むカード基材と重ならない合成樹脂シートの部分同士を融着させた状態を示す斜視図である。
【図４】本発明の実施形態に係るラミネートカード作製用合成樹脂シートを利用してラミネートカードを作製する手順を説明するための図である。
【符号の説明】
【００２６】
１  ラミネートカード作製用合成樹脂シート
１ａ  ラミネートカード
１ｂ  合成樹脂シートの１部分
２ａ  融点の低いフィルム
２ｂ  融点の高いフィルム
３  折り目線
４ａ，４ｂ  切り取りミシン目
５  カード基材
【図１】
2007320561.tif 000003
【図２】
2007320561.tif 000004
【図３】
2007320561.tif 000005
【図４】
2007320561.tif 000006